(57)【要約】本発明は室内に存在する媒体および／または人体を暖める装置に関する。この暖房装置は電磁赤外線放射および／または周波数選択性の電磁振動帯の少なくとも１つの特定の周波数で放射するため、平面支持層と選択性放射層として放射被覆物が含まれる平面放射層とで構成された放射ユニット４を備える。前記周波数は、媒体または人体の固有周波数および／または固有周波数帯との共鳴励起で暖房するため分子の固有周波数の領域に存在する。周波数発生器７は前記周波数選択性の赤外線放射を放射させるため平面放射層１４に接続される。発明による放射ユニット４は建物の内部仕上げ用または家具製作用の建築ボード９であり、建築ボード９に放射被覆物を有する平面放射層１２が組み込まれる。
2006509178.tif 000002
【特許請求の範囲】
【請求項１】
室内に存在する媒体および／または人体（１５）を暖める暖房装置であって、
媒体または人体の固有周波数および／または固有周波数帯で共鳴励起により暖房するため、分子の固有周波数領域にある、電磁赤外線放射および／または周波数選択性の電磁振動帯の少なくとも１つの特定の周波数を放射するため、平面支持層と選択性放射層として放射被覆物を有する平面放射層とを備えた放射ユニット（４）と、
前記周波数選択性の赤外線放射を励起させるため平面放射層（１２）に結合された周波数発生器（７）とを備え、
放射ユニット（４）は建物の内部仕上げまたは家具製作のための建築ボード（９）であり、かつ、建築ボード（９）に放射被覆物を有する平面放射層（１２）が組み込まれたことを特徴とする暖房装置。
【請求項２】
平面放射層（１２）は建築ボード（９）の見える前面側とは反対となる裏側外面に形成され、および／または建築ボード（９）の内部に配置されたことを特徴とする請求項１に記載の暖房装置。
【請求項３】
平面放射層（１２）は少なくとも放射被覆物が塗布されたフィルム層（１４）で構成されたことを特徴とする請求項１または２に記載の暖房装置。
【請求項４】
平面放射層（１２）は多層で構成され、必要に応じてフィルム層（１４）と関連して、少なくとも２つの互いに絶縁された放射被覆物から構成されたことを特徴とする請求項１ないし３のいずれか１項に記載の暖房装置。
【請求項５】
建築ボード（９）は壁暖房用の壁ボード、および／または天井暖房を行うための天井ボードあるいは天井パネル、および／または床暖房を行うための床ボード、および／または扉板であることを特徴とする請求項１ないし４のいずれか１項に記載の暖房装置。
【請求項６】
建築ボード（９）は少なくともパーティクルボードおよび／またはＭＤＦボードおよび／またはソリッドの木材ボードの平面支持層（１０，１１）で構成されたことを特徴とする請求項１ないし５のいずれか１項に記載の暖房装置。
【請求項７】
建築ボード（９）は窓および／扉のガラス平面支持層であることを特徴とする請求項１ないし５のいずれか１項に記載の暖房装置。
【請求項８】
建築ボード（９）は合成ボードの一種としての多層ボードとして構成されたことを特徴とする請求項１ないし５のいずれか１項に記載の暖房装置。
【請求項９】
周波数発生器（７）は制御ユニット（６）に結合され、放射ユニットから放射される放射周波数および／または放射帯が被暖房媒体または人体（１５）の少なくとも１つの分子固有周波数および／または固有周波数帯に相当するように制御ユニット（６）で励起されることを特徴とする請求項１ないし８のいずれか１項に記載の暖房装置。
【請求項１０】
制御ユニット（６）は検出ユニット（５）に電気接続され、この検出ユニット（５）を使用して、被暖房媒体または人体（１５）の少なくとも１つの固有周波数および／または固有周波数帯が放射周波数の現実値として検出されることを特徴とする請求項９に記載の暖房装置。
【発明の詳細な説明】
【技術分野】
【０００１】
本発明は請求項１の上位概念部に記載された暖房装置に関する。
【背景技術】
【０００２】
室内に存在する媒体および／または人体を暖める従来の暖房装置には放射ユニットと周波数発生器が含まれる（特許文献１）。放射ユニットは、分子固有周波数の領域にある電磁赤外線放射および／または周波数選択性の電磁振動帯の少なくとも１つの特定の周波数で放射する選択性のある放射装置の一種であり、平面支持層と放射被覆物とを有する平面放射層で構成される。平面放射層は高調波発生器の周波数発生器に接続され、この周波数発生器によって、前記の赤外線放射を放射する放射被覆物を励起させ作動させる。適切な被覆材料の組み合わせ、並びに周波数発生器への放射被覆物の接続およびその構造は技術の現状で示される。
【０００３】
この暖房装置の暖房効率は、励起した放射被覆物によって周波数選択性の電磁放射が特に帯放射として放射され、共鳴励起によって、特に媒体または人体の固有周波数帯に相当する分子の固有周波数が暖房のため有効に励起するのに電磁放射が適切であることによって達成される。このように、放射ユニットから主として放射のみが生じて放射され、これが直接共鳴暖房に使用されるので、少ない一次エネルギーで非常に有効な暖房が可能である。通常の放射暖房装置の場合、特に電気抵抗暖房装置の場合に発生する連続周波数の放射はほぼ黒体放射体の放射スペクトルに相当する。比較的高い一次エネルギーの適用で連続する放射スペクトルが発生するので多数の周波数が含まれるが、媒体または人体の場合、相当する分子の周波数がないと、媒体または人体の共鳴暖房に直接に使用できない。
【特許文献１】ＷＯ−００−２５５５２
【発明の開示】
【発明が解決しようとする課題】
【０００４】
本発明の課題はこの種の暖房装置を実用的な使用および適用可能性に関して建物の内部仕上げおよび娯楽区域に展開することにある。
【課題を解決するための手段】
【０００５】
この課題は請求項１に記載された特徴によって解決される。
請求項１によると、放射ユニットは建物の内部仕上げまたは家具製作のための建築ボードであり、この建築ボードに放射被覆物を有する平面放射層が組み込まれている。
【０００６】
このように１つまたは多くの組み合わせ可能な放射ユニットは簡単に取り扱い可能で取り付け可能な独自の建築ボードとして利用できる。放射はほとんど危険ではなく、また例え放射被覆物が前面の見える面側である部屋の内面側を頑丈な平面支持層でカバーされていても、周波数選択性の赤外線放射の効率は影響されないか、無視できる程度である。このようなカバーとしては特に木の積層材が最適であるので、見える面が見栄えのする頑丈な建築ボードが製作可能となる。
【０００７】
請求項５によると、壁ボード、天井ボードまたは床ボードとして製作可能であり、壁暖房、天井暖房または床暖房の製作に適用可能であるこの建築ボードは手工業ビジネスで販売され組み立てられるだけでなく、日曜大工の組立て用の建築マーケットを介して提供される。さらにこの建築ボードは扉板の形で製作されるので、そうでなければ使用されない扉面が暖房目的のために使用可能となる。
【０００８】
このため平面放射層は請求項２に基づき、建築ボードの裏側外面または建築ボードのボード厚み内に取り付けることができる。この場合、適用状態および支持層材料に応じて、放射被覆物は平面支持層に直接取り付けることができる。請求項３によると、放射被覆物は必要に応じてフィルム層に塗布され、その後、平面放射層を製作するため平面支持層と結合される。
【０００９】
暖房装置の効率の増加は、必要ならば請求項４に従い、平面放射層を多層で構成することによって達成でき、平面放射層は必要に応じてフィルム層と関連して少なくとも２つの互いに絶縁された放射被覆物から構成される。
【００１０】
平面支持層として通常電気絶縁の建築ボード材料が使用される。請求項６および７により、平面支持層固定ボードとして、ＭＤＦボード（中間密度繊維ボード）およびソリッドの木材ボード並びにガラスボードが使用されるのが特に好ましい。さらに請求項８により、合成ボードを使用することができる。
【００１１】
請求項９に基づき周波数発生器は制御ユニットに結合され、この制御ユニットによって周波数選択性の放射された放射周波数または放射帯が被暖房媒体または人体の少なくとも１つの分子固有周波数または固有周波数帯に調節される。
【００１２】
被暖房媒体または人体から発せられた固有周波数または固有周波数帯を検出するため適切な検出ユニットが利用できる場合は、検知信号は１つまたは複数の対応する放射周波数の現実値として使用される。
【発明を実施するための最良の形態】
【００１３】
本発明の暖房装置１は主として電源２に接続された信号処理ユニット３とこの信号処理ユニット３に電気接続された放射ユニット４とからなる。
そして信号処理ユニット３は検出ユニット５、制御ユニット６、周波数発生器７および増幅器８を備える。
【００１４】
放射ユニット４は建築ボードであり、ここではボード形状の家具部分９、例えばキャビネットの壁あるいは扉として構成することができる。家具部分９は多層のＭＤＦ板で作られる。図２で明らかなように、ボード９は平面支持層としての上層１０と下層１１、および中間層１２で構成される。上層１０と下層１１は木材で作られる。中間層１２は平面放射層として構成され、分子の固有周波数領域における特定の周波数選択性の平面赤外線放射が可能となる。中間層１２は連続する絶縁層１３によって互いに絶縁された２つの平面放射層１４で構成される。
【００１５】
平面放射層１４はそれぞれ放射被覆物で被覆されたフィルム層で構成され、それぞれ信号処理ユニット３に電気接続される。平面放射層１４は、周波数発生器７による作動および放射被覆物における周波数変換によって赤外線領域における前述の周波数選択性の放射が生じるように構成される。放射周波数は被暖房体１５、ここでは人体、の固有周波数／周波数帯に調節できる。人体１５のこの固有周波数／周波数帯は検出ユニット５で検出されて制御ユニット６に送られる。制御ユニット６は、周波数発生器の励起で、共鳴暖房に適した周波数／周波数帯が放射ユニットから放射されるように周波数発生器７に作用する。その際、振幅、したがって熱出力は増幅器８によって調節できる。
【００１６】
そのために、制御ユニット６は図示しない入力・表示ユニットに接続することができ、このユニットを使って使用者は外部から暖房の程度を調節することができる。
被暖房媒体または人体の固有周波数は７５０ｎｍから２０μｍの領域にあるので、放射される周波数領域は健康に悪影響を及ぼすものではない。
【図面の簡単な説明】
【００１７】
【図１】本発明の装置のブロックダイアグラムを示す。
【図２】図１の線II−IIに沿った建築ボードの断面を示す。
【図１】
2006509178.tif 000003
【図２】
2006509178.tif 000004
【国際調査報告】
2006509178.tif 000005
2006509178.tif 000006
2006509178.tif 000007
2006509178.tif 000008